(57)【要約】【課題】倍周波数による調波を抑制する高周波回路の調波の抑制方法を提供する。【解決手段】設計回路中で該回路中の各電子素子の主要な動作周波数を確認し、該これら動作周波数を利用して各電子素子間のその倍周波数による調波と相互変調歪み調波数値を算出し、その後、該これら倍周波数による調波と相互変調歪み調波数値に対して使用可能なフィルターを設計し、まず該設計回路に基づき、その発生する倍周波数による調波放射の位置を算出し、さらに該これらすでに設計されたフィルターを所定の倍周波数による調波放射が発生する位置に実装し、最後に、該これらフィルターの素子値をテストし、調整し、該これらフィルターが該これら倍周波数による調波を抑制できるか確認し、設計回路が安全値内にあることを確保する。 【選択図】図２
2014050101.tif 000002
【特許請求の範囲】
【請求項１】
設計回路上で行われる高周波数回路の調波の抑制方法であって、そのステップは、
該設計回路中で該回路中の主要な動作周波数を確認するステップａと、
該これら動作周波数を利用してその倍周波数による調波と相互変調歪み調波数値を算出するステップｂと、
該これら倍周波数による調波と相互変調歪み調波数値に対して使用可能なフィルターを設計するステップｃと、
該これらフィルターの素子値を計測するステップｄと、
を含むことを特徴とする、高周波回路の調波の抑制方法。
【請求項２】
ステップｂはさらに、該設計回路に基づき、その発生する倍周波数による調波放射の位置を算出することを含む、請求項１に記載の高周波回路の調波の抑制方法。
【請求項３】
ステップｃはさらに、該これらすでに設計されたフィルターを所定の位置上に実装することを特徴とする、請求項１に記載の高周波回路の調波の抑制方法。
【請求項４】
該フィルターは低域通過フィルター、高域通過フィルター、帯域通過フィルター、帯域消去フィルター等のフィルターのいずれかの一つであることを特徴とする、請求項１に記載の高周波回路の調波の抑制方法。
【発明の詳細な説明】
【技術分野】
【０００１】
本発明は、倍周波数による調波を抑制する高周波回路の調波の抑制方法に関する。
【背景技術】
【０００２】
無線通信システムは各種領域に応用されており、その使用の通信距離も急速に増加している。したがって、このような状況下で、無線通信システムの発射端はその出力する高周波パワーを増加させる必要がある。
【発明の概要】
【発明が解決しようとする課題】
【０００３】
しかしながら、前述した従来の技術では、その発射端の高周波パワーを増加させるために用いられる高周波増幅回路は、その半導体素子と回路の非線形特性により、回路の出力端で奇数（odd）と偶数（even）の倍周波数による調波が極めて容易に発生し、これら発生する倍周波による調波は空中に放射され、直接その他通信設備の使用を干渉してしまう。
【０００４】
倍周波数による調波（double frequency Harmonic）の干渉問題を解決するため、周知の技術で最も良く見られる方法は亜鉛めっき鉄板（galvanized iron）を利用して直接回路を隔離することであるが、一般使用の状況下で、亜鉛めっき鉄板を利用した方法の最も好ましい状況下では、出力パワーが１４〜１６dBmのときに発生する倍周波数による調波のみが安全規範に符合し、その他通信設備に対する影響を低減することができるが、その高周波増幅回路の出力パワーが前述範囲より大きくなると、厚さが不足する亜鉛めっき鉄板は倍周波数による調波の漏れを抑えることができず、現有の問題を解決することができない。
【０００５】
高周波増幅回路の出力パワーが存在し、後続の解決方法はその出力パワーが２７〜３０dBm以上を満足させるため、亜鉛めっき鉄板を応用する代わりに厚さが比較的厚く、貫通防止力が強いアルミニウムダイカスト（Aluminum Die Castings）金属ケースを採用し、その厚さは５〜１０mm以上であり、これは発生する倍周波数による調波の漏れを阻止することが出来き、これは効果的に従来の問題を改善し、その高周波増幅回路の出力パワーを増加させることができるが、金属ケースが厚すぎて、重く、その材料コスト、金型コストと輸送コストも増加してしまうといった問題があった。
【０００６】
そこで、本発明者は上記の欠点が改善可能と考え、鋭意検討を重ねた結果、合理的かつ効果的に課題を改善する本発明の提案に到った。
【０００７】
本発明は、このような従来の問題に鑑みてなされたものである。上記課題解決のため、本発明は、高周波回路の調波の抑制方法を提供することを主目的とする。つまり、分析回路中で発生する可能性のある倍周波数による調波の可能性と数値を利用し、その発生する可能性のある放射位置の予測を利用し、更に対応するフィルターの抑制を利用し、その倍周波数による調波が発生する数値を低減させる。
【課題を解決するための手段】
【０００８】
上述した課題を解決し、目的を達成するために、本発明に係る高周波回路の調波の抑制方法は設計回路中で該回路中の各電子素子の主要な動作周波数を確認し、該これら動作周波数を利用して各電子素子間のその倍周波数による調波と相互変調歪み調波数値を算出し、その後、該これら倍周波数による調波と相互変調歪み調波数値に対して使用可能なフィルターを設計し、まず該設計回路に基づき、その発生する倍周波数による調波放射の位置を算出し、さらに該これらすでに設計されたフィルターを所定の倍周波数による調波放射が発生する位置に実装し、最後に、該これらフィルターの素子値をテストし、調整し、該これらフィルターが該これら倍周波数による調波を抑制できるか確認し、設計回路が安全値内にあることを確保する。
【図面の簡単な説明】
【０００９】
【図１】本発明に係る高周波回路の模式図である。
【図２】本発明に係る高周波回路の高調波の抑制方法のフローチャートである。
【図３】本発明の試験数値資料図である。
【発明を実施するための形態】
【００１０】
以下に図１乃至図３を参照しながら本発明の形態について、詳細に説明する。なお、本発明は、以下に説明する実施形態に限定されるものではない。
【００１１】
（第１実施形態）
まず、本発明の第１実施形態による高周波回路の調波の抑制方法について説明する。なお、本発明の第１実施形態の構成を図１から図４に示す。本発明における好ましい実施の形態において、図１は本発明に係る高周波回路の模式図である。図１に示すように、設計回路１を含み、該回路１中には異なる電子素子Ａ、Ｂ、Ｃ及びＤがあり、該素子Ａはそれぞれ素子BとCと電気的に接続し、該素子Cはさらに素子部材BとDと電気的に接続し、該これら素子Ａ、Ｂ、Ｃ、Ｄの各動作周波数はそれぞれ
【数１】
2014050101.tif 000003
であり、その回路中で発生する倍周波数による調波は動作周波数のN倍であるため、該これら素子Ａ、Ｂ、Ｃ及びＤの動作時に発生する倍周波数による調波はそれぞれ
【数２】
2014050101.tif 000004
であり、回路中の各素子中で発生する相互変調歪み調波はそれぞれ
【数３】
2014050101.tif 000005
等の異なる組み合わせである。その後、該回路上でフィルターの原理を利用し、各素子Ａ、Ｂ、Ｃ及びＤ中で発生する可能性のある倍周波による調波の放射位置上にフィルター１１〜１４を取り付け、各素子間で発生する倍周波数による調波（
【数４】
2014050101.tif 000006
）と相互変調歪み調波（
【数５】
2014050101.tif 000007
）を抑制し、該これらフィルター１１〜１４は低域通過フィルター、高域通過フィルター、帯域通過フィルター、帯域消去フィルター等のフィルターのいずれかの一つであり、その次数は１、２、３、…、Nであり、該これらフィルター１１〜１４はそれぞれその定位置に設けられた後、さらに該これらフィルター１１〜１４のテストを行い、そのテスト後のデータに基づき、さらに該フィルター１１〜１４の素子値を微調整し、さらに該設計回路１外に設ける亜鉛めっき鉄板を配置し、抑制と防止の二重作用によりその倍周波数による調波の発生の影響を低減する。
【００１２】
図２は本発明に係る高周波回路の高調波の抑制方法のフローチャートである。図２に示すように、設計回路中で該回路中の主要な動作周波数を確認し（S１）、該これら動作周波数を利用してその倍周波数による調波と相互変調歪み調波を算出し（S2）、該これら倍周波数による調波と相互変調歪み調波数値に対して使用可能なフィルターを設計し（S3）、その後さらに該設計回路に基づき、その発生する倍周波数による調波放射の位置を算出し（S4）、該これらすでに設計されたフィルターを所定の位置上に実装し（S5）、最後に、該これらフィルターの素子値をテストし、調整し（S6）、全体の調波抑制方法を完成させる。
【００１３】
図３は本発明の試験数値資料図である。本発明の調波抑制方法によれば、直接高周波集積回路モジュール上に応用することができ、該モジュールの周波数は２．４GHzであり、高周波増幅回路を加えた後、その出力周波数が２７dBmに達するようにさせ、そEMI/EMCの実験計測を経ると、図３の実験数値資料及び図表に示すとおりであり、その方法の応用はFCC15.247の規範を満たす。
【００１４】
以上、本発明はこのような実施形態に限定されるものではなく、発明の趣旨を逸脱しない範囲において、種々の形態で実施することができる。
【符号の説明】
【００１５】
１  設計回路
１１−１４  ：フィルター
Ａ、Ｂ、Ｃ、Ｄ  ：電子素子
【数６】
2014050101.tif 000008
：動作周波数
【図１】
2014050101.tif 000009
【図２】
2014050101.tif 000010
【図３】
2014050101.tif 000011